(57)【要約】ユーザ機器の構成を管理する実施形態の一例は、登録対象ネットワークを検出することと、前記装置はデフォルト構成で構成されているが、ネットワークについてのネットワーク固有構成を含まないとき、前記ネットワーク上で利用可能な少なくとも１つのサービスのために、デフォルト構成を使用するとの通知をネットワークに送出することとを含む。【選択図】図２Ａ
2021530931.tif 000002
【特許請求の範囲】
【請求項１】
少なくとも１つのプロセッサと、コンピュータプログラムコードを含む少なくとも１つのメモリとを備える装置であって、前記少なくとも１つのメモリと前記コンピュータプログラムコードは、前記少なくとも１つのプロセッサに実行されると、前記装置に、
登録対象ネットワークを検出することと、
前記装置はデフォルト構成で構成されているが、前記ネットワークについてのネットワーク固有構成を含まないとき、前記ネットワーク上で利用可能な少なくとも１つのサービスのために、前記装置が前記デフォルト構成を使用するとの通知を前記ネットワークに送信することと、
を遂行させるように構成される、装置。
【請求項２】
前記デフォルト構成は、前記装置がローミング中にアクセスし得るあらゆる公衆陸上移動ネットワーク上で前記少なくとも１つのサービスにアクセスするための構成を含む、請求項１に記載の装置。
【請求項３】
前記ネットワーク固有構成は、前記少なくとも１つのサービスにアクセスするための構成であって、前記装置にサービスを提供する前記ネットワークに固有の構成を含む、請求項１〜２の何れか一項に  記載の装置。
【請求項４】
前記デフォルト構成は、前記装置がローミング中にアクセスし得るあらゆる公衆陸上移動ネットワークに対して有効なネットワークスライス選択支援情報のデフォルトセットを含む、請求項１〜３の何れか一項に記載の装置。
【請求項５】
前記ネットワーク固有構成は、前記装置にサービスを提供する前記ネットワークに固有のネットワークスライス選択支援情報を含む、請求項１〜４の何れか一項に記載の装置。
【請求項６】
前記装置は、更に、少なくとも、前記少なくとも１つのサービスのために、前記デフォルト構成または前記ネットワーク固有構成により、前記ネットワークにアクセスさせられる、請求項１〜５の何れか一項に記載の装置。
【請求項７】
前記通知は、登録メッセージ、認証メッセージ、および／または要求メッセージよって運ばれる明示的通知である、請求項１〜６の何れか一項に記載の装置。
【請求項８】
前記装置は、更に、少なくとも、前記装置がデフォルト構成を使用するとの前記通知への応答として、ネットワーク固有構成を前記ネットワークから受信させられる、請求項１〜７の何れか一項に記載の装置。
【請求項９】
前記装置は、更に、少なくとも、前記装置が前記デフォルト構成で構成されており、しかも前記ネットワークについてのネットワーク固有構成を含むとき、前記ネットワーク上で利用可能な前記少なくとも１つのサービスのために、前記装置が前記ネットワーク固有構成を使用するとの通知を前記ネットワークに送信させられる、  請求項１〜８の何れか一項に記載の装置。
【請求項１０】
前記装置がネットワーク固有構成を使用するとの前記通知は暗黙的である、請求項９に記載の装置。
【請求項１１】
前記装置は、更に、少なくとも、更新されたデフォルト構成情報を前記ネットワークから受信させられる、請求項１〜１０の何れか一項に記載の装置。
【請求項１２】
登録対象ネットワークをユーザ機器によって検出することと、
前記ユーザ機器はデフォルト構成で構成されているが、前記ネットワークについてのネットワーク固有構成を含まないとき、前記ネットワーク上で利用可能な少なくとも１つのサービスのために、前記ユーザ機器が前記デフォルト構成を使用するとの通知を前記ユーザ機器によって前記ネットワークに送出することと、
を含む方法。
【請求項１３】
前記デフォルト構成は、前記ユーザ機器がローミング中にアクセスし得るあらゆる公衆陸上移動ネットワーク上で前記少なくとも１つのサービスにアクセスするための構成を含む、請求項１２に記載の方法。
【請求項１４】
前記ネットワーク固有構成は、前記少なくとも１つのサービスにアクセスするための構成であって、前記ユーザ機器にサービスを提供する前記ネットワークに固有の構成を含む、請求項１２〜１３の何れか一項に記載の方法。
【請求項１５】
前記デフォルト構成は、前記ユーザ機器がローミング中にアクセスし得るあらゆる公衆陸上移動ネットワークに対して有効なネットワークスライス選択支援情報のデフォルトセットを含む、請求項１２〜１４の何れか一項に記載の方法。
【請求項１６】
前記ネットワーク固有構成は、前記ユーザ機器にサービスを提供する前記ネットワークに固有のネットワークスライス選択支援情報を含む、請求項１２〜１５の何れか一項に記載の方法。
【請求項１７】
前記少なくとも１つのサービスのために、前記デフォルト構成または前記ネットワーク固有構成により、前記ネットワークにアクセスすることを更に含む、請求項１２〜１６の何れか一項に記載の方法。
【請求項１８】
前記通知は、登録メッセージ、認証メッセージ、および／または要求メッセージよって運ばれる明示的通知である、請求項１２〜１７の何れか一項に記載の方法。
【請求項１９】
前記ユーザ機器がデフォルト構成を使用するとの前記通知への応答として、ネットワーク固有構成を前記ネットワークから受信することを更に含む、請求項１２〜１８の何れか一項に記載の方法。
【請求項２０】
前記ユーザ機器は前記デフォルト構成で構成されており、しかも前記ネットワークについてのネットワーク固有構成を含むとき、前記ネットワーク上で利用可能な前記少なくとも１つのサービスのために、前記ユーザ機器が前記ネットワーク固有構成を使用するとの通知を前記ネットワークに送出することを更に含む、請求項１２〜１９の何れか一項に記載の方法。
【請求項２１】
前記ユーザ機器がネットワーク固有構成を使用するとの前記通知は暗黙的である、請求項２０に記載の方法。
【請求項２２】
更新されたデフォルト構成情報を前記ネットワークから前記ユーザ機器によって受信することを更に含む、請求項１２〜２１の何れか一項に記載の方法。
【請求項２３】
装置であって、
登録対象ネットワークを検出する手段と、
前記装置はデフォルト構成で構成されているが、前記ネットワークについてのネットワーク固有構成を含まないとき、前記ネットワーク上で利用可能な少なくとも１つのサービスのために、前記装置が前記デフォルト構成を使用するとの通知を前記ネットワークに送出する手段と、
を備える装置。
【請求項２４】
請求項１３〜２２の何れか一項に記載の方法を実施する手段を更に備える、請求項２３に記載の装置。
【請求項２５】
プログラムコードを含む非一時的コンピュータ可読媒体であって、前記プログラムコードは、実行されると、
登録対象ネットワークをユーザ機器によって検出することと、
前記ユーザ機器はデフォルト構成で構成されているが、前記ネットワークについてのネットワーク固有構成を含まないとき、前記ネットワーク上で利用可能な少なくとも１つのサービスのために、前記ユーザ機器が前記デフォルト構成を使用するとの通知を前記ユーザ機器によって前記ネットワークに送出することと、
を含む動作を引き起こす、非一時的コンピュータ可読媒体。
【請求項２６】
少なくとも１つのプロセッサと、コンピュータプログラムコードを含む少なくとも１つのメモリとを備える装置であって、前記少なくとも１つのメモリと前記コンピュータプログラムコードは、前記少なくとも１つのプロセッサに実行されると、前記装置に、
ユーザ機器はデフォルト構成で構成されているが、ネットワークについてのネットワーク固有構成を含まないとき、前記ネットワーク上で利用可能な少なくとも１つのサービスのために、前記ユーザ機器が前記デフォルト構成を使用するとの通知を受信することと、
前記通知に基づき、前記ユーザ機器はネットワーク固有構成で更新されるべきであることを検出することと、
前記検出した通知への応答として、前記ネットワーク固有構成を送出することと、
を遂行させるように構成される、装置。
【請求項２７】
前記デフォルト構成は、前記ユーザ機器がローミング中にアクセスし得るあらゆる公衆陸上移動ネットワーク上で前記少なくとも１つのサービスにアクセスするための構成を含む、請求項２６に記載の装置。
【請求項２８】
前記ネットワーク固有構成は、前記少なくとも１つのサービスにアクセスするための構成であって、前記ユーザ機器にサービスを提供する前記ネットワークに固有の構成を含む、請求項２６〜２７の何れか一項に記載の装置。
【請求項２９】
前記デフォルト構成は、前記ユーザ機器がローミング中にアクセスし得るあらゆる公衆陸上移動ネットワークに対して有効なネットワークスライス選択支援情報のデフォルトセットを含む、請求項２６〜２８の何れか一項に記載の装置。
【請求項３０】
前記ネットワーク固有構成は、前記ユーザ機器にサービスを提供する前記ネットワークに固有のネットワークスライス選択支援情報を含む、請求項２６〜２９の何れか一項に記載の装置。
【請求項３１】
前記通知は、前記装置によって受信される登録メッセージ、認証メッセージ、および／または要求メッセージに含まれる明示的通知である、請求項２６〜３０の何れか一項に記載の装置。
【請求項３２】
前記装置は、更に、少なくとも、前記ユーザ機器がデフォルト構成を使用するとの前記通知への応答として、ネットワーク固有構成を送出させられる、請求項２６〜３１の何れか一項に記載の装置。
【請求項３３】
前記装置は、更に、少なくとも、前記ユーザ機器は前記デフォルト構成で構成されており、しかも前記ネットワークについてのネットワーク固有構成を含むとき、前記ネットワーク上で利用可能な前記少なくとも１つのサービスのために、前記ユーザ機器が前記ネットワーク固有構成を使用するとの通知を受信させられる、請求項２６〜３２の何れか一項に記載の装置。
【請求項３４】
前記ユーザ機器がネットワーク固有構成を使用するとの前記通知は暗黙的である、請求項３３に記載の装置。
【請求項３５】
前記装置はネットワークノードを備え、またはネットワークノードに含まれ、前記ネットワークノードは基地局および／またはアクセスおよびモビリティ管理機能を備える、請求項２６〜３４の何れか一項に記載の装置。
【請求項３６】
前記装置は、更に、少なくとも、更新されたデフォルト構成情報を前記ユーザ機器に送出させられる、請求項２６〜３５の何れか一項に記載の装置。
【請求項３７】
ユーザ機器はデフォルト構成で構成されているが、ネットワークについてのネットワーク固有構成を含まないとき、前記ネットワーク上で利用可能な少なくとも１つのサービスのために、前記ユーザ機器が前記デフォルト構成を使用するとの通知をネットワークノードにおいて受信することと、
前記通知に基づき、前記ユーザ機器がネットワーク固有構成で更新されるべきであることを前記ネットワークノードにおいて検出することと、
前記検出した通知への応答として、前記ネットワークノードにおいて、前記ネットワーク固有構成を送出することと、
を含む方法。
【請求項３８】
前記デフォルト構成は、前記ユーザ機器がローミング中にアクセスし得るあらゆる公衆陸上移動ネットワーク上で前記少なくとも１つのサービスにアクセスするための構成を含む、請求項３７に記載の方法。
【請求項３９】
前記ネットワーク固有構成は、前記少なくとも１つのサービスにアクセスするための構成であって、前記ユーザ機器にサービスを提供する前記ネットワークに固有の構成を含む、請求項３７〜３８の何れか一項に記載の方法。
【請求項４０】
前記デフォルト構成は、前記ユーザ機器がローミング中にアクセスし得るあらゆる公衆陸上移動ネットワークに対して有効なネットワークスライス選択支援情報のデフォルトセットを含む、請求項３７〜３９の何れか一項に記載の方法。
【請求項４１】
前記ネットワーク固有構成は、前記ユーザ機器にサービスを提供する前記ネットワークに固有のネットワークスライス選択支援情報を含む、請求項３７〜４０の何れか一項に記載の方法。
【請求項４２】
前記通知は、前記ネットワークノードにおいて受信される登録メッセージ、認証メッセージ、および／または要求メッセージに含まれる明示的通知である、請求項３７〜４１の何れか一項に記載の方法。
【請求項４３】
前記ユーザ機器がデフォルト構成を使用するとの前記通知への応答として、ネットワーク固有構成を送出することを更に含む、請求項３７〜４２の何れか一項に記載の方法。
【請求項４４】
前記ユーザ機器は前記デフォルト構成で構成されており、しかも前記ネットワークについてのネットワーク固有構成を含むとき、前記ネットワーク上で利用可能な前記少なくとも１つのサービスのために、前記ユーザ機器が前記ネットワーク固有構成を使用するとの通知を受信することを更に含む、請求項３７〜４３の何れか一項に記載の方法。
【請求項４５】
前記ユーザ機器がネットワーク固有構成を使用するとの前記通知は暗黙的である、請求項４４に記載の方法。
【請求項４６】
前記ネットワークノードは、基地局および／またはアクセスおよびモビリティ管理機能を備える、請求項３７〜４５の何れか一項に記載の方法。
【請求項４７】
更新されたデフォルト構成情報を前記ネットワークノードによって前記ユーザ機器に送出することを更に含む、請求項３７〜４６の何れか一項に記載の方法。
【請求項４８】
ユーザ機器はデフォルト構成で構成されているが、ネットワークについてのネットワーク固有構成を含まないとき、前記ネットワーク上で利用可能な少なくとも１つのサービスのために、前記ユーザ機器が前記デフォルト構成を使用するとの通知を受信する手段と、
前記通知に基づき、前記ユーザ機器がネットワーク固有構成で更新されるべきであることを検出する手段と、
前記検出した通知への応答として、前記ネットワーク固有構成を送出する手段と、
を備える装置。
【請求項４９】
請求項３８〜４７の何れか一項に記載の方法を実施する手段を更に備える、請求項４８に記載の装置。
【請求項５０】
プログラムコードを含む非一時的コンピュータ可読媒体であって、前記プログラムコードは、実行されると、
ユーザ機器はデフォルト構成で構成されているが、ネットワークについてのネットワーク固有構成を含まないとき、前記ネットワーク上で利用可能な少なくとも１つのサービスのために、前記ユーザ機器が前記デフォルト構成を使用するとの通知をネットワークノードにおいて受信することと、
前記通知に基づき、前記ユーザ機器がネットワーク固有構成で更新されるべきであることを前記ネットワークノードにおいて検出することと、
前記検出した通知への応答として、前記ネットワーク固有構成を前記ネットワークノードにおいて送出することと、
を含む動作を引き起こす、非一時的コンピュータ可読媒体。 
【発明の詳細な説明】
【技術分野】
【０００１】
関連出願の相互参照
本出願は、２０１８年７月２３日に提出された「全ＰＬＭＮについてのＵＥのためのデフォルト構成の存在下でのサービス提供ＰＬＭＮにおけるＵＥ構成の管理（ＭＡＮＡＧＩＮＧ  ＵＥ  ＣＯＮＦＩＧＵＲＡＴＩＯＮ  ＩＮ  Ａ  ＳＥＲＶＩＮＧ  ＰＬＭＮ  ＩＮ  ＴＨＥ  ＰＲＥＳＥＮＣＥ  ＯＦ  Ａ  ＤＥＦＡＵＬＴ  ＣＯＮＦＩＧＵＲＡＴＩＯＮ  ＦＯＲ  ＴＨＥ  ＵＥ  ＦＯＲ  ＡＬＬＰＬＭＮＳ）」と題する米国仮特許出願第６２／７０２，２９１号の優先権および利益を主張し、その開示内容はあらゆる目的のために引用により本願明細書に組み込まれるものとする。
【０００２】
分野
本願明細書に記載されている技術事項は、無線に関する。
【背景】
【０００３】
第５世代（５Ｇ：Ｆｉｆｔｈ  Ｇｅｎｅｒａｔｉｏｎ）システムを含むセルラーシステムは、広範囲のユースケースと帯域幅、待ち時間、および信頼性要件に関する多種多様なニーズとを有する用途を含む、増加の一途をたどるデバイスおよびサービスを支持するので、セルラーシステムは、複数の異なるサービス間の差別化を支持するために、無線アクセスネットワークおよびコアネットワークにわたるリソースの優先順位付け（および／または、例えば、制御プレーンおよびユーザプレーンにわたる優先順位付け）を行う必要があり得る。
【摘要】
【０００４】
構成の更新を管理するための方法と、コンピュータプログラム製品を含む、装置とが提供される。
【０００５】
一部の例示的実施形態において、少なくとも１つのプロセッサと、コンピュータプログラムコードを含む少なくとも１つのメモリとを含む装置が提供され得る。前記少なくとも１つのメモリと前記コンピュータプログラムコードとは、少なくとも、登録対象ネットワークを検出することと、前記装置はデフォルト構成で構成されているが、前記ネットワークについてのネットワーク固有構成を含まないとき、前記ネットワーク上で利用可能な少なくとも１つのサービスのために、前記装置が前記デフォルト構成を使用するとの通知を前記ネットワークに送出することとを、前記少なくとも１つのプロセッサによって前記装置に行わせるべく構成される。
【０００６】
一部の変形例においては、本願明細書に開示されている、以下の特徴を含む、諸特徴のうちの１つ以上を、場合によっては、何れか実現可能な組み合わせで含むことができる。前記デフォルト構成は、前記装置がローミング中にアクセスし得るあらゆる公衆陸上移動ネットワーク上で前記少なくとも１つのサービスにアクセスするための構成を含み得る。前記ネットワーク固有構成は、前記少なくとも１つのサービスにアクセスするための構成であって、前記装置にサービスを提供する前記ネットワークに固有の構成を含み得る。前記デフォルト構成は、前記装置がローミング中にアクセスし得るあらゆる公衆陸上移動ネットワークに対して有効な要求ネットワークスライス選択支援情報のデフォルトセットを含み得る。前記ネットワーク固有構成は、前記装置にサービスを提供する前記ネットワークに固有の要求ネットワークスライス選択支援情報を含み得る。前記ネットワークは、前記少なくとも１つのサービスのために、前記デフォルト構成または前記ネットワーク固有構成により、アクセスされ得る。前記通知は、登録メッセージ、認証メッセージ、および／または要求メッセージよって運ばれる明示的通知であり得る。前記ネットワーク固有構成は、前記装置がデフォルト構成、ネットワーク固有構成を使用するとの前記通知への応答として、前記ネットワークから受信され得る。前記装置が前記デフォルト構成で構成されており、しかも前記ネットワークについてのネットワーク固有構成を含むとき、前記ネットワーク上で利用可能な前記少なくとも１つのサービスのために、前記装置は前記ネットワーク固有構成を使用するとの通知が前記ネットワークに送出され得る。前記装置がネットワーク固有構成を使用するとの前記通知は、暗黙的でもよい。
【０００７】
一部の例示的実施形態において、少なくとも１つのプロセッサと、コンピュータプログラムコードを含む少なくとも１つのメモリとを含む装置が提供され得る。前記少なくとも１つのメモリと前記コンピュータプログラムコードとは、少なくとも、ユーザ機器はデフォルト構成で構成されているが、前記ネットワークについてのネットワーク固有構成を含まないとき、前記ネットワーク上で利用可能な少なくとも１つのサービスのために、前記ユーザ機器が前記デフォルト構成を使用するとの通知を受信することと、前記通知に基づき、前記ユーザ機器がネットワーク固有構成で更新されるべきであることを検出することと、前記検出した通知への応答として前記ネットワーク固有構成を送出することと、を前記少なくとも１つのプロセッサによって前記装置に行わせるべく構成される。
【０００８】
一部の変形例においては、本願明細書に開示されている、以下の諸特徴を含む、諸特徴のうちの１つ以上を、場合によっては、何れか実現可能な組み合わせで含むことができる。前記デフォルト構成は、前記ユーザ機器がローミング中にアクセスし得るあらゆる公衆陸上移動ネットワーク上で前記少なくとも１つのサービスにアクセスするための構成を含み得る。前記ネットワーク固有構成は、前記少なくとも１つのサービスにアクセスするための構成であって、前記ユーザ機器にサービスを提供する前記ネットワークに固有の構成を含み得る。前記デフォルト構成は、前記ユーザ機器がローミング中にアクセスし得るあらゆる公衆陸上移動ネットワークに対して有効な要求ネットワークスライス選択支援情報のデフォルトセットを含み得る。前記ネットワーク固有構成は、前記ユーザ機器にサービスを提供する前記ネットワークに固有の要求ネットワークスライス選択支援情報を含み得る。前記通知は、前記装置によって受信される登録メッセージ、認証メッセージ、および／または要求メッセージに含まれる明示的通知であり得る。前記ユーザ機器がデフォルト構成、ネットワーク固有構成を使用するとの前記通知への応答として、ネットワーク固有構成が送出され得る。前記ユーザ機器は前記デフォルト構成で構成されており、しかも前記ネットワークについてのネットワーク固有構成を含むとき、前記ネットワーク上で利用可能な前記少なくとも１つのサービスのために、前記ユーザ機器が前記ネットワーク固有構成を使用するとの通知が受信され得る。前記装置がネットワーク固有構成を使用するとの前記通知は、暗黙的でもよい。前記装置は、ネットワークノードを含み得る、またはネットワークノードに含まれ得る。この場合、前記ネットワークノードは、基地局および／またはアクセスおよびモビリティ管理機能を含み得る。
【０００９】
上記の諸態様および諸特徴は、所望される構成に応じて、システム、装置、方法、および／または製品に実現され得る。本願明細書に記載されている技術事項の１つ以上の変形例の詳細は、添付の図面および以下の説明に記載されている。本願明細書に記載されている技術事項の諸特徴および諸利点は、本明細書および図面から、および特許請求の範囲から、明らかになるであろう。
【図面の簡単な説明】
【００１０】
図面において、
【００１１】
【図１】一部の例示的実施形態による５Ｇ無線ネットワークの一部分の一例を示す。
【００１２】
【図２Ａ】一部の例示的実施形態による、ＵＥ構成のための処理フローの複数の例を示す。
【図２Ｂ】一部の例示的実施形態による、ＵＥ構成のための処理フローの複数の例を示す。
【図２Ｃ】一部の例示的実施形態による、ＵＥ構成のための処理フローの複数の例を示す。
【００１３】
【図３】一部の例示的実施形態による、ＵＥ構成のための処理フローの別の例を示す。
【００１４】
【図４】一部の例示的実施形態による、ネットワークノードの一例を示す。
【００１５】
【図５】一部の例示的実施形態による、装置の一例を示す。
【００１６】
これら図面においては、同じまたは同様の項目に言及するために同様のラベルが使用されている。
【詳細説明】
【００１７】
セルラーシステムなどのシステムにおいては、ユーザ機器（ＵＥ：ｕｓｅｒ  ｅｑｕｉｐｍｅｎｔ）に、ＵＥのローミング中、ならびにＵＥのホームネットワーク上で、ＵＥに適用可能な、１つ以上の設定などのデフォルト構成が提供され得る。このデフォルト構成は、一ネットワークによって提供される特定サービスへのＵＥの即時アクセスを可能にし得る。ネットワークは、ＵＥの（または対応付けられたユーザの）サブスクリプションとサービス提供ネットワークオペレータによる特定サービスの支持とに基づき、アクセスを許可し得る。ただし、ＵＥにおけるデフォルト構成を無効にするために適用されるべき固有構成をサービス提供ネットワークが有する場合、サービス提供ネットワークの固有構成でＵＥを如何に構成するべきかに関する問題が存在し得る。一解決策は、ＵＥによるサービス提供ネットワークの訪問時に、サービス提供ネットワーク（例えば、ネットワーク固有構成をＵＥに提供し得るネットワーク）が１つの構成を前記ＵＥに必ず提供することであり得る。ただし、これは、ネットワークリソースに関してリソースを多用し得る。別の可能な解決策は、全ネットワークについてのＵＥの構成をＵＥのホームネットワークに扱わせることであり得るが、これには、前記ＵＥに対して考えられる全てのサービス提供ネットワークの詳細をホームネットワークが知っている必要があり得る。ただし、この解決策は、少なくともホームネットワークの見地から管理が過度に複雑になり得るので（ホームネットワークは、相対的に多数のサービス提供ネットワークについての更新された最新ネットワーク固有構成情報を有する必要があるので）、望ましくない場合があり得る。
【００１８】
一部の例示的実施形態において、ＵＥがデフォルト構成などの事前設定された構成を使用して動作することをサービス提供ネットワークが検出できる方法が提供される。この場合、サービス提供ネットワークは、サービス提供ネットワークについてのネットワーク固有構成など、より最新のＵＥ構成でＵＥを更新し始め得る。一部の例示的実施形態において、事前設定された構成は、前記ネットワーク上で利用可能な少なくとも１つのサービスへのＵＥによるアクセスに関連する。一部の例示的実施形態において、この少なくとも１つのサービスは複数のネットワークスライスを含むが、他の種類のサービスも使用され得る。
【００１９】
一部の例示的実施形態において、事前設定された、デフォルトなどの、構成をＵＥが使用することを前記ネットワークが知ることができるように、明示的通知が前記ネットワークに提供され得る。一部の例示的実施形態において、この通知は、ＵＥによって前記ネットワークに送られる登録要求などの要求または他の種類のメッセージによって運ばれる。
【００２０】
一部の例示的実施形態によるＵＥ構成に関する追加説明を提供する前に、５Ｇ無線ネットワーク１００の一部分の一例を図１に関して説明する。
【００２１】
５Ｇ無線ネットワーク１００は、基地局などの無線アクセスポイント、無線ローカルエリアネットワークアクセスポイント、ホーム基地局、および／または他の種類の無線アクセスポイントによってサービスが提供される無線アクセスネットワーク（ＲＡＮ：ｒａｄｉｏ  ａｃｃｅｓｓ  ｎｅｔｗｏｒｋ）１５２に無線で結合するべく構成されたユーザ機器（ＵＥ）１５０を含み得る。或るネットワークへの訪問時、ＵＥは、このネットワークの無線アクセスネットワークにアクセスし得る。
【００２２】
ネットワーク１００は、コアネットワークを含み得る。コアネットワークは、アクセスおよびモビリティ管理機能（ＡＭＦ：ａｃｃｅｓｓ  ａｎｄ  ｍｏｂｉｌｉｔｙ  ｍａｎａｇｅｍｅｎｔ  ｆｕｎｃｔｉｏｎ）１５４、訪問セッション管理機能（Ｖ−ＳＭＦ：ｖｉｓｉｔｉｎｇ  ｓｅｓｓｉｏｎ  ｍａｎａｇｅｍｅｎｔ  ｆｕｎｃｔｉｏｎ）１５６、訪問ポリシー制御機能（ｖ−ＰＣＦ：ｖｉｓｉｔｉｎｇ  ｐｏｌｉｃｙ  ｃｏｎｔｒｏｌ  ｆｕｎｃｔｉｏｎ）１６０、訪問ネットワークスライス選択機能（ｖ−ＮＳＳＦ：ｖｉｓｉｔｉｎｇ  ｎｅｔｗｏｒｋ  ｓｌｉｃｅ  ｓｅｌｅｃｔｉｏｎ  ｆｕｎｃｔｉｏｎ）１６４、および／または訪問ユーザプレーン機能（Ｖ−ＵＰＦ：ｖｉｓｉｔｉｎｇ  ｕｓｅｒ  ｐｌａｎｅ  ｆｕｎｃｔｉｏｎ）１５８を含み得る。図１の例において、デバイス１５２〜１６４は、訪問公衆陸上移動ネットワーク（ＶＰＬＭＮ：ｖｉｓｉｔｉｎｇ  ｐｕｂｌｉｃ  ｌａｎｄ  ｍｏｂｉｌｅ  ｎｅｔｗｏｒｋ）１６６に対応付けられ得る。
【００２３】
ネットワーク１００および／またはコアネットワークは、ホーム公衆陸上移動ネットワーク（ＨＰＬＭＮ：ｈｏｍｅ  ｐｕｂｌｉｃ  ｌａｎｄ  ｍｏｂｉｌｅ  ｎｅｔｗｏｒｋ）１７０を支持する諸機能を有する複数のデバイスも含み得る。例えば、ＨＰＬＭＮ１７０におけるこれらデバイスは、「ホーム」無線ローカルエリアネットワーク（ＷＬＡＮ：ｗｉｒｅｌｅｓｓ  ｌｏｃａｌ  ａｒｅａ  ｎｅｔｗｏｒｋ）アクセス、オフローディング、および／または非３ＧＰＰアクセスのための諸デバイスとこれらに対応する諸機能とを含み得る。これらデバイスは、ホームＳＭＦ１７２、ホームＰＣＦ１７４、ホームＮＳＳＦ１７６、統一データ管理１７８、認証サーバ機能（ＡＵＳＦ：ａｕｔｈｅｎｔｉｃａｔｉｏｎ  ｓｅｒｖｅｒ  ｆｕｎｃｔｉｏｎ）１８０、アプリケーション機能（ＡＦ：ａｐｐｌｉｃａｔｉｏｎ  ｆｕｎｃｔｉｏｎ）１８２、ホームユーザプレーン機能（Ｈ−ＵＰＦ：ｈｏｍｅ  ｕｓｅｒ  ｐｌａｎｅ  ｆｕｎｃｔｉｏｎ）１８４、およびデータネットワーク（ＤＮ：ｄａｔａ  ｎｅｔｗｏｒｋ）１８６を含み得る。
【００２４】
図１は、Ｎ１、Ｎ２、Ｎ３、Ｎ４、Ｎ６、Ｎ７、Ｎ１１、Ｎ１５、Ｎ１８、Ｎ２４などのサービスインタフェースおよび／またはこれらに類するものも示している。アーキテクチャ、ノード（ＡＭＦ、Ｖ−ＰＣＦ、Ｈ−ＰＣＦ、Ｈ−ＳＭＦ、およびＶ−ＳＭＦ、ならびに図１に示されている他のデバイスを含む）、およびサービスインタフェースは、３ＧＰＰ  ＴＳ  ２３．５０１などの規格に従って規定され得るが、他の規格ならびに独自のインタフェースも使用され得る。図１は単一の訪問ネットワークおよび単一のホームネットワークを示しているが、他の数の訪問および／またはホームネットワークも含まれ得る。
【００２５】
ネットワークスライスとは、上述のように、特定のネットワーク機能およびネットワーク特性を提供する論理ネットワークを指す。ネットワークスライスは、所与の一ＵＥが、同じ無線アクセスネットワーク上の複数の異なるネットワークスライスに（例えば、同じ無線インタフェースを介して）アクセスし得るように、動的に作成可能な論理的エンドツーエンドネットワークと考えられ得る。各ネットワークスライスは、それぞれ異なるサービスを提供できる、および／またはそれぞれ異なるＱｏＳニーズ／要件を有する。５Ｇシステムのためのシステムアーキテクチャである３ＧＰＰ  ＴＳ  ２３．５０１は、ネットワークスライスの複数の例を記述している。
【００２６】
ＵＥのサブスクリプション情報は、ネットワークスライスの数、ＱｏＳタイプ、および／または識別に関する構成情報を規定し得る。ＵＥの構成情報（ＶＰＬＭＮおよび／またはＨＰＬＭＮなどのＰＬＭＮにおいて登録時にネットワークによって提供される情報）は、１つ以上の単一ネットワークスライス選択支援情報（Ｓ−ＮＳＳＡＩ：ｓｉｎｇｌｅ  ｎｅｔｗｏｒｋ  ｓｌｉｃｅ  ｓｅｌｅｃｔｉｏｎ  ａｓｓｉｓｔａｎｃｅ  ｉｎｆｏｒｍａｔｉｏｎ）などのネットワークスライス識別子を１つ以上含み得る。Ｓ−ＮＳＳＡＩは、
ａ）特徴およびサービスの観点から期待されるネットワークスライス挙動を指すスライス／サービスタイプ（ＳＳＴ：ｓｌｉｃｅ／ｓｅｒｖｉｃｅ  ｔｙｐｅ）、および／または
ｂ）同じスライス／サービスタイプの複数のネットワークスライスを区別するために、１つ又は複数のスライス／サービスタイプを補完する任意使用の情報である、スライスディファレンシエータ（ＳＤ：ｓｌｉｃｅ  ｄｉｆｆｅｒｅｎｔｉａｔｏｒ）で構成され得る。
【００２７】
以下の例は、ネットワークスライスに関する一例を使用しているが、これは説明を目的としたものであり、他の種類のサービスも使用され得る。例えば５Ｇの場合、ＵＥは、訪問先公衆陸上移動ネットワーク（ＶＰＬＭＮ：ｖｉｓｉｔｅｄ  ｐｕｂｌｉｃ  ｌａｎｄ  ｍｏｂｉｌｅ  ｎｅｔｗｏｒｋ）および／またはホーム公衆陸上移動ネットワーク（ＨＰＬＭＮ：ｈｏｍｅ  ｐｕｂｌｉｃ  ｌａｎｄ  ｍｏｂｉｌｅ  ｎｅｔｗｏｒｋ）などのサービス提供ネットワークによって、例えば３ＧＰＰ  ＴＳ  ２３．５０１に従って、ネットワークスライシングなどのサービスを可能にするための構成情報などの情報で構成され得る。この構成情報により、ＵＥは、ＵＥのサブスクリプション（ならびにネットワークによってＵＥに提供されるＰＬＭＮ構成情報）に基づき、サービス提供ネットワークにおける、ネットワークスライシングなどの、１つ以上のサービスの使用ひいてはアクセスが可能になる。この構成情報は、ＶＰＬＭＮによるローカルな決定の故に、または他の理由により、ならびにＵＥのサブスクリプションについての変更を実現するホームネットワーク、またはＨＰＬＭＮ、の故に、時間の経過に伴い変化し得る。例えば３ＧＰＰ  ＴＳ  ２３．５０１の場合、構成情報は、ネットワークスライスに関連し得る。その場合の構成情報は、構成されたネットワークスライス選択支援情報（ＮＳＳＡＩ：ｎｅｔｗｏｒｋ  ｓｌｉｃｅ  ｓｅｌｅｃｔｉｏｎ  ａｓｓｉｓｔａｎｃｅ  ｉｎｆｏｒｍａｔｉｏｎ）と称され得る。Ｓ−ＮＳＳＡＩコレクションのうちの各Ｓ−ＮＳＳＡＩは、所与の一ネットワークスライスを指し得る。
【００２８】
例えば３ＧＰＰ  ＴＳ  ２３．５０１において、ネットワークスライスセットへの登録は、以下に従って行われ得る。要求ＮＳＳＡＩがＵＥの要求（例えば、登録要求）に含まれていないとき、および／または、要求ＮＳＳＡＩ内の各Ｓ−ＮＳＳＡＩとＨＰＬＭＮに対して構成されたＮＳＳＡＩ内の各対応値とのマッピングが不正であるとき、および／またはＳ−ＮＳＳＡＩがＰＬＭＮにおいて拒否されたとき、アクセスおよびモビリティ管理機能（ＡＭＦ）１５４は、ＰＬＭＮに対応付けられた１つ又は複数のネットワークスライスについてのＵＥ１５０の構成情報を更新し得る。ＵＥがＰＬＭＮにおいて使用するための「スライス」構成情報を持っていないとき、ＵＥは、要求ＮＳＳＡＩ（例えば、ＵＥがアクセスの提供をネットワークに要求する各スライスのＳ−ＮＳＳＡＩを含むＮＳＳＡＩ）をＰＬＭＮ登録要求に含めないこともあり得る。この場合、ＰＬＭＮは、ＰＬＭＮに対して構成されたＮＳＳＡＩでＵＥを構成し得る。更に、無効な要求ＮＳＳＡＩをＰＬＭＮが検出すると、ＵＥの構成が実施され得る。
【００２９】
ただし、デフォルト構成がＵＥに存在する場合は、何れの場合も要求ＮＳＳＡＩをＰＬＭＮに提供できる。これは、有効な要求ＮＳＳＡＩと見做され得る。デフォルト構成が表す構成は、例えば、特定のサービス提供ネットワークにおいて使用されるべきＰＬＭＮ／ネットワーク固有構成をＵＥが有さない場合に、ＵＥが使用すべき構成であり、全てではないにしても一部のＰＬＭＮに対して有効と考えられる構成である。例えば、この構成情報は、複数のネットワークスライスの場合、ＵＥがローミング可能な全てではないにしても一部のＰＬＭＮによって理解されるＳ−ＮＳＳＡＩまたはＳ−ＮＳＳＡＩセットを含み得る。したがって、より多くのＳ−ＮＳＳＡＩがＰＬＭＮにおいて使用される場合、これら追加のＳ−ＮＳＳＡＩはＵＥに構成され得ない。その理由は、ＵＥは不正な要求ＮＳＳＡＩを提供していないからである（例えば、不正な要求ＮＳＳＡＩは、構成情報の更新でＵＥを更新するために、ネットワークをトリガするであろう）。ＵＥは全てではないにしても一部のＰＬＭＮにおいて使用されるデフォルトＮＳＳＡＩを有するので、ＵＥは、例えば、ネットワークに送出される登録メッセージにデフォルトＮＳＳＡＩを含め得る。したがって、ＵＥは空の要求ＮＳＳＡＩを登録要求で送出できない。ＵＥは、サービス提供ＰＬＭＮについての固有構成を確かに取得しているが、全てではないにしても一部のＰＬＭＮについてのデフォルト構成内に存在するネットワークスライスのみを使用する場合は、デフォルト構成がＵＥによって使用されるので、サービス提供ネットワークは、ＵＥにＰＬＭＮ固有構成が無かったことを検出できないこともある。ネットワークスライスに関するこの例は、ＵＥがデフォルト構成を使用するかどうかをネットワークが検出できるようにするためにネットワークに送出されるべき通知の必要性を示している。
【００３０】
一部の例示的実施形態において、ＰＬＭＮ固有構成を有さない全てではないにしても一部のＰＬＭＮに対して適用されるデフォルト構成でＵＥが構成されており、しかもＵＥが登録しようとするサービス提供ネットワーク（例えば、サービス提供ＰＬＭＮ）に固有の情報を有さないとき、ＵＥは、その構成としてデフォルト構成などの事前設定された構成を使用し得る。更に、ＵＥは、デフォルト構成などの事前設定された構成の使用をネットワークに通知し得る。一部の例示的実施形態によると、ＵＥは、その使用を、ネットワーク登録メッセージなどの要求メッセージおよび／または他の種類のメッセージによって、ネットワークに通知し得る。
【００３１】
サービス提供ＰＬＭＮにおいてネットワーク固有の（例えば、ＰＬＭＮ固有の）構成でＵＥが構成されると期待されるようにサービス提供ＰＬＭＮが運用されている場合、サービス提供ＰＬＭＮは、必要なＰＬＭＮ固有構成をＵＥに提供し得る。サービス提供ＰＬＭＮは、ＵＥによってネットワークに送出された要求または登録メッセージなどの通知への応答として、ＰＬＭＮ固有構成をＵＥに提供し得る。ＵＥが全ＰＬＭＮについてのデフォルト構成のみをＰＬＭＮにおいて使用すると期待されるようにサービス提供ＰＬＭＮが運用されている場合、サービス提供ＰＬＭＮは（例えば、ＵＥに対して利用可能なＰＬＭＮ固有構成が存在しないので）ＰＬＭＮ固有構成をＵＥに提供する必要がない。サービス提供ＰＬＭＮは、ＵＥによってネットワークに送出された要求または登録メッセージなどの通知への応答として、ＰＬＭＮ固有構成をＵＥに提供し得る。サービス提供ＰＬＭＮは訪問ＰＬＭＮであり得るが、ホームＰＬＭＮでもよい。
【００３２】
ＵＥがその構成の一部として、サービス提供ネットワークについてのＰＬＭＮ固有構成と全ＰＬＭＮについてのデフォルト構成とを含んでいるとき、ＵＥはサービス提供ＰＬＭＮにおいてＰＬＭＮ固有構成で登録し得るが、ＵＥは、ＵＥがデフォルト構成をも有することをネットワークに通知しなくてもよい。
【００３３】
図２Ａは、一部の例示的実施形態による、ＵＥを構成するための処理２００の一例を示す。
【００３４】
２１０において、一部の例示的実施形態によると、ＵＥは登録対象ネットワークを一候補として検出し得る。例えば、ＵＥ１５０は、別のネットワークへのローミングおよび／または訪問を行い得る。この場合、ＵＥ１５０は、基地局および／または他のネットワークノードによってサービスが提供される無線アクセスネットワーク１５２を検出し得る。上述のように、ＵＥ１５０は、ＲＡＮ１５２に対応付けられたＶＰＬＭＮにおいて、ネットワークスライスなどのサービスにアクセスするために、ＵＥ１５０が使用すべきネットワーク固有構成を有し得る。代わりに、または加えて、ＵＥ１５０は、ネットワーク固有構成を有さないこともある。代わりに、ＵＥ１５０は、複数のネットワーク上の複数のサービスにアクセスするときにＵＥ１５０が使用すべき事前設定された、またはデフォルトの、構成を有し得る。このデフォルト構成を全てではないにしても一部のネットワーク／ＰＬＭＮにおいてＵＥ１５０が使用すべきであるのは、サービスにアクセスするためにＵＥ１５０が使用すべき独自のネットワーク固有構成を所与の訪問先サービス提供ネットワークが有さない場合である。したがって、登録がネットワークによって受け付けられると、ＵＥはそのネットワークにおいてデフォルト構成サービスにアクセスし得る。
【００３５】
一部の例示的実施形態によると、前記ネットワーク上で利用可能な少なくとも１つのサービスのためにＵＥはデフォルト構成で構成されているが、前記ネットワークについてのネットワーク固有構成を含まないとき、前記少なくとも１つのサービスのために、ＵＥがデフォルト構成を使用するとの通知を、２１５において、前記ネットワークに送出し得る。例えば、ＵＥ１５０は、（メッセージ、要求、登録要求、および／またはこれらに類するものによって運ばれ得る、またはこれらを含み得る）通知を無線アクセスネットワーク１５２に送出し得る。この通知は、ＵＥ１５０が前記ネットワーク上の少なくとも１つのサービスにアクセスするための事前設定された、またはデフォルトの、構成のために構成されているとの明示的通知であり得る。
【００３６】
例えばネットワークスライシングの場合、登録要求は、要求ＮＳＳＡＩのデフォルトセットが使用されるとの通知を含み得るが、この通知は他の種類のサービスにも対応し得る。この通知は、登録要求におけるフラグ、ビット、値、または他の通知など、明示的であり得る。代わりに、または加えて、登録要求は、使用される要求ＮＳＳＡＩのデフォルトセットも含み得る。例えば、登録メッセージは、デフォルト構成（例えば、ネットワーク／ＰＬＭＮ固有のＮＳＳＡＩを有さない全ＰＬＭＮに対して構成された有効なＮＳＳＡＩ）と、前記ネットワーク上の少なくとも１つのサービスにアクセスするためにＵＥ１５０がデフォルト構成で構成されているとの通知とを含み得る。
【００３７】
一部の例示的実施形態において、２１５において送出される通知は、ＵＥにおいてデフォルト構成が使用されるのか、または他の構成（例えば、ネットワーク固有構成）が使用されるのかなど、各種の構成を通知し得る。代わりに、または加えて、この通知はデフォルトのネットワークスライシング構成を知らせ得る一方で、ＵＥにおける他の複数の構成態様のために他の複数の通知子が使用され得る。一部の例示的実施形態において、この通知子は、デフォルト構成が使用されるかどうか、および／またはこれに類すること、をネットワークに通知するために、メッセージによって運ばれる１つ以上のビット（または他の種類の通知子）によって実現され得る。前の例に戻ると、登録メッセージは、ネットワーク上の少なくとも１つのサービスにアクセスするために、事前設定された、またはデフォルトの、構成のためにＵＥ１５０が構成されているとの明示的通知を含み得る。登録メッセージは、他の種類のサービスなど、ＵＥにおける他のＵＥ構成態様をネットワークに知らせるために、他の通知を１つ以上含み得る。更に説明すると、ＵＥに存在するネットワークスライス構成を知らせるために第１の通知が使用され得る一方で、ＵＥにおいて扱われる別のサービス構成を知らせるために別の通知が使用され得る。例えば、ＵＥは、ネットワークスライシングのためのデフォルト構成と、ＲＡＴ選択のための１つのデフォルト構成とを有し得る。例えば、サービス提供ＰＬＭＮ以外の複数のＰＬＭＮ上で３ＧＰＰアクセスを使用するサービスのためにＵＥがＷＩＦＩの使用を優先する場合、ＲＡＴ用のデフォルト構成は、サービス提供ＰＬＭＮがそれぞれ違えて構成され得る特定の複数のサービスのために、３ＧＰＰアクセスまたはＷｉＦｉを優先させ得る。この例において、ＵＥは、ＵＥの登録時に、新ＲＡＴポリシーを前記ネットワークから取得し得る。
【００３８】
２２０において、ＵＥは、一部の例示的実施形態によると、ネットワーク固有構成を前記ネットワークから受信し得る。このネットワーク固有構成は、２１５におけるネットワークへの通知の送出への応答として、ＵＥ１５０によって受信され得る。指摘したように、２１５において送出された通知子により、ネットワーク（例えば、基地局などのネットワークノード、ＡＭＦ、および／またはこれらに類するもの）は、ＵＥにおいてデフォルト構成が使用されているかどうか、およびその場合は、ＵＥにおける構成の更新をネットワークが必要とするかどうか、を検出できるようになる。デフォルト構成の代わりに、ＵＥ１５０によって使用されるべきネットワーク固有構成をネットワークが有する場合、ネットワークは、アクセスされるサービスのためのネットワーク固有構成など、別の構成を提供し得る。例えばネットワークスライシングの場合、ネットワークは、ＵＥ１５０に使用させる構成されたＮＳＳＡＩをＵＥに提供し得る。ネットワーク固有構成は、特に前記ネットワークのための構成を指す。この意味において、ネットワーク固有構成は、前記ネットワークに固有である。
【００３９】
前記ネットワーク上で利用可能な少なくとも１つのサービスのためにＵＥはデフォルト構成で構成されており、しかも前記ネットワークについてのネットワーク固有構成を含んでいるとき、前記少なくとも１つのサービスのために、ＵＥがネットワーク固有構成を使用するとの通知をネットワークに、２３０において、送出し得る。例えば、ＵＥ１５０は、通知（メッセージ、要求、登録要求、および／またはこれらに類するものよって運ばれ得る、またはこれらを含み得る、通知）を無線アクセスネットワーク１５２に送出し得る。この通知は、前記ネットワーク上の少なくとも１つのサービスにアクセスするために、ＵＥ１５０がネットワーク固有構成のために構成されていることを通知し得る。ただし、ＵＥは、事前設定された、またはデフォルトの、構成を有することをネットワークに通知しなくてもよい。例えばネットワークスライシングの場合、登録要求は、要求ＮＳＳＡＩのネットワーク固有セットを含み得る。一部の例示的実施形態において、ＵＥがネットワーク固有構成を使用するとの通知は、明示的であり得る。この場合、通知は、ＵＥが少なくとも１つのサービスのためにネットワーク固有構成を使用することを知らせるフラグ、ビット、値、または何れか他の種類の通知を含み得る。代わりに、または加えて、ＵＥがネットワーク固有構成を使用するとの通知は、暗黙的でもよい（例えば、（２１５においてＵＥによって送出される）通知の欠如は、少なくとも１つのサービスのために、ＵＥがネットワーク固有構成を使用することをネットワークに知らせ得る）。
【００４０】
２４０において、ＵＥは、少なくとも１つのサービスのために、デフォルト構成またはネットワーク固有構成を使用してＲＡＮ１５２などのネットワークにアクセスし得る。例えば、登録がネットワークによって受け付けられると、ＵＥは、２１５において知らせたネットワークデフォルト構成、または２２０において受信された（またはＵＥに予め記憶されている）ネットワーク固有構成、を使用してネットワーク上のネットワーク固有サービスにアクセスし得る。
【００４１】
図２Ｂは、一部の例示的実施形態によるＵＥ登録要求処理２９９を示す。図２Ａの２１５および２３０において上述した通知は、２５０において送出され得る（図２Ｂ）。例えばネットワークスライシングの場合、ＵＥ１５０は、ＰＬＭＮ固有構成のＮＳＳＡＩ情報で構成されていない場合、要求ＮＳＳＡＩを構成するために、全てではないにしても一部のＰＬＭＮに対して構成されたＮＳＳＡＩからの情報を使用するとの通知を、２５０において、含め得る。
【００４２】
ＰＬＭＮに対して構成された１つのＮＳＳＡＩをＵＥが使用することをＡＭＦが期待し、ネットワーク／ＰＬＭＮ固有構成のＮＳＳＡＩを有さない全てではないにしても一部のＰＬＭＮに対して構成された有効なＮＳＳＡＩからの情報をＵＥが使用するとＵＥが２５０において通知していた場合、ＡＭＦ１５４は、ＰＬＭＮ用に構成されたＮＳＳＡＩを、２５２において、返し得る。要求ＮＳＳＡＩが含まれていなかったとき、および／または要求ＮＳＳＡＩ内のＳ−ＮＳＳＡＩとＨＰＬＭＮのために構成されたＮＳＳＡＩ内の対応値とのマッピングが不正であるとき、および／またはＰＬＭＮにおいてＳ−ＮＳＳＡＩが拒否されたとき、および／または全てではないにしても一部のＰＬＭＮに対して構成されたＮＳＳＡＩ内の情報を使用して動作するとＵＥが通知し、しかもＰＬＭＮ固有の構成されたＮＳＳＡＩをＵＥが使用することをサービス提供ＰＬＭＮが期待するとき、ＡＭＦは、例えば、ＴＳ  ２３．５０１（例えば、節５．１５．４．２を参照）に従って、ＰＬＭＮについてのＵＥネットワークスライス構成情報を更新し得る。
【００４３】
図２Ｃは、ＴＳ  ２３．５０２の節４．２．４によるものなど、ＵＥ構成更新を使用してＵＥ構成を実施するＡＭＦを示す。図２Ｃは、ＡＭＦ１５４によるＲＡＮ１５２を介したＵＥ１５０への構成情報の送出を含む処理２９０を示す。この例において、この構成情報は、ＵＥ１５２のための更新された構成（例えば、より最新のデフォルト構成および／またはネットワーク固有構成）である。ネットワークスライシングの場合、ＡＭＦは、アクセスされる特定のネットワーク／ＰＬＭＮについての構成されたＮＳＳＡＩ情報を提供し得る。
【００４４】
本願明細書に記載されている複数の例のうちの一部はネットワークスライシングとしてのサービスに言及しているが、このサービスは、指摘したように、他の複数のサービスにも対応し得る。
【００４５】
これらの例のうちの一部は、２１０および２３０において登録メッセージによって送出される通知を説明しているが、ネットワークへの他の種類のメッセージもこの通知を運び得る。例えば、認証メッセージまたは他の種類のメッセージがこの通知をネットワークに提供し得る。
【００４６】
図３は、一部の例示的実施形態による処理３００の一例を示す。図２の説明は、図１にも言及する。
【００４７】
一部の例示的実施形態によると、無線アクセスネットワーク１５２にサービスを提供する基地局などのネットワークノードは、ＵＥが少なくとも１つのサービスのためにデフォルト構成を使用するのか、この少なくとも１つのサービスのためにネットワーク固有構成を使用するのかに関する通知を、３１０において、ＡＭＦ１５４から受信し得る。この通知は、メッセージ、要求、認証メッセージ、ネットワーク登録要求、および／または他の種類のメッセージの一部として提供され得る。例えば、前記ネットワークノードは、前記ネットワーク上で利用可能な少なくとも１つのサービスのために、（全てではないにしても一部のＰＬＭＮ上で使用可能な）デフォルト構成をＵＥが使用するとの明示的通知をＵＥから受信し得る。ＵＥはデフォルト構成で構成されているが、前記ネットワークについてのネットワーク固有構成を含まないとき、ネットワークノードは明示的通知をＵＥから受信し得る。
【００４８】
この通知に基づき、ネットワークノードは、３１５において、ＵＥがデフォルト構成を有することを検出し得る。したがって、前記ネットワークノードは、例えば、前記ネットワークについてのネットワーク固有構成でデフォルト構成を更新すべきかどうかを前記ネットワークノードで決定するための知識を有する。例えばネットワークスライシングの場合、
【００４９】
３２０において、ネットワークノードは、構成情報をＵＥに提供（例えば、送出）し得る。例えば、ネットワークノードなどのネットワークは、前記ネットワーク上の少なくとも１つのサービスを使用させるためにＵＥを更新するための構成情報を提供し得る。ネットワークスライシングの場合、ネットワークノードは、訪問先サービス提供ネットワークにおいて使用するために構成されたＮＳＳＡＩのネットワーク固有構成で応答し得る。
【００５０】
図４は、一部の例示的実施形態によるネットワークノード４００のブロック図を示す。ネットワークノード４００は、例えば、図３に関して説明したように、１つ以上のネットワーク側動作を提供するべく構成され得る。更に、モバイル無線ネットワークは、複数のネットワークノード４００も有し得る。例えば、ネットワークノードは、デバイス１５２〜１８０のうちの１つ以上に組み込まれ得る。
【００５１】
ネットワークノード４００は、一部の例示的実施形態によると、ネットワークインタフェース４０２と、プロセッサ４２０と、メモリ４０４とを含み得る。ネットワークインタフェース４０２は、基地局を含む他のノード、デバイス１５２〜１８０、インターネット、および／または他のノードへのアクセスを可能にするために、有線および／または無線送受信機を含み得る。メモリ４０４は、プログラムコードを含む揮発性および／または不揮発性メモリを備え得る。このプログラムコードは、少なくとも１つのプロセッサ４２０によって実行されると、とりわけ、処理２００、３００、４００、および／またはこれらに類するものを含む、本願明細書に開示されている処理を提供する。
【００５２】
図５は、一部の例示的実施形態による装置１０のブロック図を示す。
【００５３】
装置１０は、ユーザ機器１５０などのユーザ機器を表し得る。装置１０またはその複数部分は、基地局／ＷＬＡＮアクセスポイントを含む他のネットワークノードならびにその他のネットワークノード（例えば、デバイス１５２〜１８４）に実装され得る。
【００５４】
装置１０は、送信機１４および受信機１６と通信状態にあるアンテナ１２を少なくとも１つ含み得る。あるいは、送信用アンテナおよび受信用アンテナが別々でもよい。装置１０はプロセッサ２０を更に含み得る。プロセッサ２０は、送信機および受信機にそれぞれ信号を提供する、および送信機および受信機からそれぞれ信号を受信する、および装置の機能を制御する、ように構成される。プロセッサ２０は、電気リード線を介した送信機および受信機への制御信号の伝達によって、送信機および受信機の機能を制御するべく構成され得る。同様に、プロセッサ２０は、プロセッサ２０をその他の要素、例えばディスプレイまたはメモリなど、に接続する電気リード線を介した制御信号の伝達によって、装置１０の他の要素を制御するべく構成され得る。プロセッサ２０は、例えば、種々の方法で具現化され得る。例えば、回路、少なくとも１つの処理コア、１つ又は複数のデジタル信号プロセッサを有する１つ以上のマイクロプロセッサ、付属のデジタル信号プロセッサがない１つ以上のプロセッサ、１つ以上のコプロセッサ、１つ以上のマルチコアプロセッサ、１つ以上のコントローラ、処理用回路、１つ以上のコンピュータ、集積回路（例えば、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）、および／またはこれらに類するもの）を含む他のさまざまな処理用要素、あるいはこれらの組み合わせを含み得る。したがって、図５にはプロセッサ２０が単一のプロセッサとして示されているが、一部の例示的実施形態において、プロセッサ２０は複数のプロセッサまたは処理コアを備え得る。
【００５５】
装置１０は、１つ以上のエアインタフェース規格、通信プロトコル、変調タイプ、アクセスタイプ、および／またはこれらに類するもので動作可能であり得る。プロセッサ２０によって送受信される信号は、該当するセルラーシステムのエアインタフェース規格、Ｗｉ−Ｆｉ、および／または、電気電子技術者協会（ＩＥＥＥ）８０２．１１、８０２．１６、８０２．３などの無線ローカルアクセスネットワーク（ＷＬＡＮ：ｗｉｒｅｌｅｓｓ  ｌｏｃａｌ  ａｃｃｅｓｓ  ｎｅｔｗｏｒｋ）方式、ＡＤＳＬ、ＤＯＣＳＩＳ、および／またはこれらに類するものを含む、ただしこれらだけに限定されない、任意数のさまざまな有線または無線ネットワーキング方式による信号情報を含み得る。加えて、これら信号は、音声データ、ユーザ生成データ、ユーザ要求データ、および／またはこれらに類するものを含み得る。
【００５６】
例えば、装置１０および／またはその内部のセルラーモデムは、さまざまな第１世代（１Ｇ）通信プロトコル、第２世代（２Ｇまたは２．５Ｇ）通信プロトコル、第３世代（３Ｇ）通信プロトコル、第４世代（４Ｇ）通信プロトコル、第５世代（５Ｇ）通信プロトコル、インターネットプロトコルマルチメディアサブシステム（ＩＭＳ：Ｉｎｔｅｒｎｅｔ  Ｐｒｏｔｏｃｏｌ  Ｍｕｌｔｉｍｅｄｉａ  Ｓｕｂｓｙｓｔｅｍ）通信プロトコル（例えば、セッション開始プロトコル（ＳＩＰ：ｓｅｓｓｉｏｎ  ｉｎｉｔｉａｔｉｏｎ  ｐｒｏｔｏｃｏｌ））、および／またはこれらに類するものに従って動作可能であり得る。例えば、装置１０は、２Ｇ無線通信プロトコルＩＳ−１３６、時分割多重アクセス（ＴＤＭＡ：Ｔｉｍｅ  Ｄｉｖｉｓｉｏｎ  Ｍｕｌｔｉｐｌｅ  Ａｃｃｅｓｓ）、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  ｃｏｍｍｕｎｉｃａｔｉｏｎｓ）、ＩＳ−９５、符号分割多重アクセス（ＣＤＭＡ：Ｃｏｄｅ  Ｄｉｖｉｓｉｏｎ  Ｍｕｌｔｉｐｌｅ  Ａｃｃｅｓｓ）、および／またはこれらに類するものに従って動作可能であり得る。加えて、例えば、装置１０は、２．５Ｇ無線通信プロトコル汎用パケット無線サービス（ＧＰＲＳ：Ｇｅｎｅｒａｌ  Ｐａｃｋｅｔ  Ｒａｄｉｏ  Ｓｅｒｖｉｃｅ）、拡張データＧＳＭ環境（ＥＤＧＥ：Ｅｎｈａｎｃｅｄ  Ｄａｔａ  ＧＳＭ  Ｅｎｖｉｒｏｎｍｅｎｔ）、および／またはこれらに類するものに従って動作可能であり得る。更に、例えば、装置１０は、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、符号分割多重アクセス２０００（ＣＤＭＡ２０００：Ｃｏｄｅ  Ｄｉｖｉｓｉｏｎ  Ｍｕｌｔｉｐｌｅ  Ａｃｃｅｓｓ  ２０００）、ＷＣＤＭＡ（登録商標）、時分割同期符号分割多重アクセス（ＴＤ−ＳＣＤＭＡ：Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）、および／またはこれらに類するものなど、３Ｇ無線通信プロトコルに従って動作可能であり得る。装置１０は、更に、ロングタームエボルーション（ＬＴＥ：Ｌｏｎｇ  Ｔｅｒｍ  Ｅｖｏｌｕｔｉｏｎ）、発展型ユニバーサル陸上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、および／またはこれらに類するものなど、３．９Ｇ無線通信プロトコルに従って動作可能であり得る。更に、例えば、装置１０は、ＬＴＥアドバンストなどの４Ｇ無線通信プロトコル、５Ｇ、および／またはこれらに類するもの、ならびにその後に開発され得る同様の無線通信プロトコル、に従って動作可能であり得る。
【００５７】
プロセッサ２０は、装置１０のオーディオ／ビデオおよび論理機能を実現するための回路を含み得ることを理解されたい。例えば、プロセッサ２０は、デジタル信号プロセッサデバイス、マイクロプロセッサデバイス、アナログ−デジタル変換器、デジタル−アナログ変換器、および／またはこれらに類するものを備え得る。装置１０の制御および信号処理機能は、これらデバイスに、それぞれの能力に応じて、割り当てられ得る。プロセッサ２０は、内蔵音声符号化装置（ＶＣ：ｖｏｉｃｅ  ｃｏｄｅｒ）２０ａ、内蔵データモデム（ＤＭ：ｄａｔａ  ｍｏｄｅｍ）２０ｂ、および／またはこれらに類するものを更に備え得る。更に、プロセッサ２０は、１つ以上のソフトウェアプログラムを動作させるための機能を含み得る。これらプログラムは、メモリに記憶され得る。一般に、プロセッサ２０と記憶されるソフトウェア命令とは、装置１０に複数のアクションを行わせるべく構成され得る。例えば、プロセッサ２０は、ウェブブラウザなどの接続性プログラムを動作させ得る。接続性プログラムは、ワイヤレスアプリケーションプロトコル（ＷＡＰ：ｗｉｒｅｌｅｓｓ  ａｐｐｌｉｃａｔｉｏｎ  ｐｒｏｔｏｃｏｌ）、ハイパーテキスト転送プロトコル（ＨＴＴＰ：ｈｙｐｅｒｔｅｘｔ  ｔｒａｎｓｆｅｒ  ｐｒｏｔｏｃｏｌ）、および／またはこれらに類するものなどのプロトコルに従って、ロケーションベースのコンテンツなどのウェブコンテンツの送信および受信を装置１０に行わせ得る。
【００５８】
装置１０は、プロセッサ２０に作動的に結合され得るユーザインタフェースを更に備え得る。このユーザインタフェースとして、例えば、イヤホンまたはスピーカ２４、リンガ２２、マイクロフォン２６、ディスプレイ２８、ユーザ入力インタフェース、および／またはこれらに類するものが挙げられる。ディスプレイ２８は、上述のように、タッチ検知ディスプレイを含み得る。タッチ検知ディスプレイにおいて、ユーザは、接触および／またはジェスチャによって、選択、値の入力、および／またはこれらに類するものを行い得る。プロセッサ２０は、スピーカ２４、リンガ２２、マイクロフォン２６、ディスプレイ２８、および／またはこれらに類するものなど、ユーザインタフェースの１つ以上の要素の少なくとも一部の機能を制御するべく構成されたユーザインタフェース回路も含み得る。プロセッサ２０および／またはプロセッサ２０を備えたユーザインタフェース回路は、例えば、プロセッサ２０からアクセス可能なメモリ、例えば、揮発性メモリ４０、不揮発性メモリ４２、および／またはこれらに類するもの、に記憶されているコンピュータプログラム命令、例えば、ソフトウェアおよび／またはファームウェア、によって、ユーザインタフェースの１つ以上の要素を制御するべく構成され得る。装置１０は、携帯端末関連のさまざまな回路、例えば、検出可能な出力として機械的振動をもたらすための回路、に電力を供給するための電池を含み得る。ユーザ入力インタフェースは、キーパッド３０（ディスプレイ２８上に表示される仮想キーボードまたは外部結合キーボードも可）および／または他の入力デバイスなど、装置２０にデータを受信させるためのデバイスを備え得る。
【００５９】
図５に示されているように、装置１０は、データを共有および／または取得するための機構も１つ以上含み得る。例えば、装置１０は、近距離無線周波数（ＲＦ：ｒａｄｉｏ  ｆｒｅｑｕｅｎｃｙ）送受信機および／またはインテロゲータ６４を含み得るので、ＲＦ方式に従って、複数の電子デバイスとのデータの共有、および／またはこれら電子デバイスからのデータの取得、を行い得る。装置１０は、赤外線（ＩＲ：ｉｎｆｒａｒｅｄ）送受信機６６、Ｂｌｕｅｔｏｏｔｈ（登録商標）無線技術を使用して動作するＢｌｕｅｔｏｏｔｈ（登録商標）（ＢＴ）送受信機６８、無線ユニバーサルシリアルバス（ＵＳＢ：ｕｎｉｖｅｒｓａｌ  ｓｅｒｉａｌ  ｂｕｓ）送受信機７０、Ｂｌｕｅｔｏｏｔｈ（登録商標）低エネルギー送受信機、ＺｉｇＢｅｅ送受信機、ＡＮＴ送受信機、セルラーデバイスツーデバイス送受信機、無線ローカルエリアリンク送受信機、および／または何れか他の近距離無線技術など、他の近距離送受信機を含み得る。装置１０、特に近距離送受信機、は装置の近傍、例えば１０メートル以内など、にある電子デバイスへのデータの送信および／またはこれら電子デバイスからのデータの受信が可能であり得る。Ｗｉ−Ｆｉまたは無線ローカルエリアネットワーキングモデムを含む装置１０は、６ＬｏＷｐａｎ、Ｗｉ−Ｆｉ、Ｗｉ−Ｆｉ低電力、ＩＥＥＥ８０２．１１方式、ＩＥＥＥ８０２．１５方式、ＩＥＥＥ８０２．１６方式などのＷＬＡＮ方式、および／またはこれらに類するものを含むさまざまな無線ネットワーキング方式に従って、複数の電子デバイスへのデータの送信および／またはこれら電子デバイスからのデータの受信も可能であり得る。
【００６０】
装置１０は、サブスクライバ識別モジュール（ＳＩＭ：ｓｕｂｓｃｒｉｂｅｒ  ｉｄｅｎｔｉｔｙ  ｍｏｄｕｌｅ）３８、取り外し可能ユーザ識別モジュール（Ｒ−ＵＩＭ：ｒｅｍｏｖａｂｌｅ  ｕｓｅｒ  ｉｄｅｎｔｉｔｙ  ｍｏｄｕｌｅ）、ｅＵＩＣＣ、ＵＩＣＣ、および／またはこれらに類するものなど、モバイルサブスクライバに関する情報を記憶し得るメモリを備え得る。装置１０は、ＳＩＭに加え、他の取り外し可能および／または固定メモリを含み得る。装置１０は、揮発性メモリ４０および／または不揮発性メモリ４２を含み得る。例えば、揮発性メモリ４０は、ダイナミックおよび／またはスタティックＲＡＭを含むランダムアクセスメモリ（ＲＡＭ：Ｒａｎｄｏｍ  Ａｃｃｅｓｓ  Ｍｅｍｏｒｙ）、オンチップまたはオフチップキャッシュメモリ、および／またはこれらに類するものを含み得る。埋め込み型および／または取り外し可能な不揮発性メモリ４２は、例えば、読み出し専用メモリ、フラッシュメモリ、磁気記憶デバイス、例えば、ハードディスク、フロッピディスクドライブ、磁気テープ、光ディスクドライブおよび／または媒体、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）、および／またはこれらに類するものを含み得る。揮発性メモリ４０と同様に、不揮発性メモリ４２は、データの一時記憶用のキャッシュ領域を含み得る。揮発性および／または不揮発性メモリの少なくとも一部分は、プロセッサ２０に埋め込まれ得る。これらメモリは、本願明細書に開示されている動作を実行するために装置によって使用され得る１つ以上のソフトウェアプログラム、命令、情報、データ、および／またはこれらに類するものを記憶し得る。代わりに、または加えて、装置は、基地局／ＷＬＡＮアクセスポイント、およびＵＥを含むネットワークノードに対して、本願明細書に開示されている動作を行わせるべく構成され得る。
【００６１】
メモリは、国際モバイル機器識別（ＩＭＥＩ：ｉｎｔｅｒｎａｔｉｏｎａｌ  ｍｏｂｉｌｅ  ｅｑｕｉｐｍｅｎｔ  ｉｄｅｎｔｉｆｉｃａｔｉｏｎ）コードなど、装置１０を一意に識別可能な識別子を備え得る。メモリは、国際モバイル機器識別（ＩＭＥＩ：ｉｎｔｅｒｎａｔｉｏｎａｌ  ｍｏｂｉｌｅ  ｅｑｕｉｐｍｅｎｔ  ｉｄｅｎｔｉｆｉｃａｔｉｏｎ）コードなど、装置１０を一意に識別可能な識別子を備え得る。本例示的実施形態において、プロセッサ２０は、基地局／ＷＬＡＮアクセスポイントおよび、ＵＥを含む、ネットワークノードに対して、本願明細書に開示されている動作（例えば、処理２００、２９０、２９９、３００、および／またはこれらに類するものを参照）を提供するために、メモリ４０および／または４２に記憶されているコンピュータコードを使用して構成され得る。
【００６２】
本願明細書に開示されている実施形態のうちの一部は、ソフトウェア、ハードウェア、アプリケーションロジック、またはソフトウェアとハードウェアとアプリケーションロジックとの組み合わせ、で実現され得る。ソフトウェア、アプリケーションロジック、および／またはハードウェアは、例えば、メモリ４０、制御装置２０、または電子部品に常駐し得る。一部の例示的実施形態において、アプリケーションロジック、ソフトウェア、または命令セットは、従来のさまざまなコンピュータ可読媒体のうちの何れか１つに保持され得る。この文献の文脈において、「コンピュータ可読媒体（ｃｏｍｐｕｔｅｒ−ｒｅａｄａｂｌｅ  ｍｅｄｉｕｍ）」は、命令実行システム、装置、またはコンピュータまたはデータプロセッサ回路などのデバイスによって、またはこれらに関連して、使用される命令を収容、記憶、通信、伝播、または移送可能な何れかの非一時的媒体であり得る。図５に示されている例では、コンピュータ可読媒体は、非一時的コンピュータ可読記憶媒体を備え得る。この非一時的コンピュータ可読記憶媒体は、命令実行システム、装置、またはコンピュータなどのデバイスによって、またはこれらに関連して、使用される命令を収容または記憶可能な何れかの媒体であり得る非一時的コンピュータ可読媒体を備え得る。
【００６３】
添付の特許請求の範囲の範囲、解釈、または適用をなんら制限することなく、本願明細書に開示されている例示的実施形態のうちの１つ以上の技術的効果は、改良されたＵＥ構成であり得る。
【００６４】
本願明細書に記載されている技術事項は、所望される構成に応じて、システム、装置、方法、および／または製品に具現化され得る。例えば、基地局およびユーザ機器（または、その中の１つ以上の構成要素）および／または本願明細書に記載されている処理は、プログラムコードを実行するプロセッサ、特定用途向け集積回路（ＡＳＩＣ）、デジタル信号プロセッサ（ＤＳＰ）、埋め込まれたプロセッサ、フィールドプログラマブルゲートアレイ（ＦＰＧＡ）、および／またはこれらの組み合わせのうちの１つ以上を使用して実現可能である。これらさまざまな実現例は、記憶システム、少なくとも１つの入力デバイス、および少なくとも１つの出力デバイスからのデータおよび命令の受信、およびこれらへのデータおよび命令の送信、のために結合された、専用または汎用プログラム可能プロセッサを少なくとも１つ含む、プログラム可能システム上で実行可能および／または解釈可能な１つ以上のコンピュータプログラムとしての実現を含み得る。これらコンピュータプログラム（プログラム、ソフトウェア、ソフトウェアアプリケーション、アプリケーション、コンポーネント、プログラムコード、またはコードとしても公知）は、プログラム可能プロセッサのための機械命令を含み、高レベル手続きおよび／またはオブジェクト指向プログラミング言語、および／またはアセンブリ／機械言語で実現され得る。本願明細書で使用されている用語「コンピュータ可読媒体」は、機械命令を受け付ける機械可読媒体を含む、プログラム可能プロセッサに機械命令および／またはデータを提供するために使用される何れかのコンピュータプログラム製品、機械可読媒体、コンピュータ可読記憶媒体、装置、および／またはデバイス（例えば、磁気ディスク、光ディスク、メモリ、プログラム可能論理デバイス（ＰＬＤ：Ｐｒｏｇｒａｍｍａｂｌｅ  Ｌｏｇｉｃ  Ｄｅｖｉｃｅ））を指す。同様に、本願明細書には、プロセッサとこのプロセッサに結合されたメモリとを含み得るシステムも記載されている。メモリは、本願明細書に記載されている動作のうちの１つ以上をプロセッサに実施させるプログラムを１つ以上含み得る。
【００６５】
上では、少数の変形例を詳細に説明しているが、他の変更または追加も可能である。特に、更なる特徴および／または変形例も、本願明細書に記載のものに加え、提供され得る。更に、上記の実現例は、開示されている諸特徴のさまざまな組み合わせおよび部分組み合わせ、および／または上に開示されているいくつかの更なる特徴の組み合わせおよび部分組み合わせに関し得る。他の実施形態は、添付の特許請求の範囲に含まれ得る。
【００６６】
望ましければ、本願明細書に記載の複数の異なる機能は、異なる順番で、および／または互いに同時に、実行され得る。更に、望ましければ、上記諸機能のうちの１つ以上は、任意使用でもよい、または組み合わせられてもよい。これら実施形態のうちの一部のさまざまな態様が独立請求項に記載されているが、これら実施形態のうちの一部の他の態様は、特許請求の範囲に明示的に記載されている組み合わせだけではなく、記載の実施形態および／または従属請求項の特徴と独立請求項の特徴と他の組み合わせを含む。上では複数の例示的実施形態を説明しているが、これら説明は、限定的な意味で見られるべきではないことにも留意されたい。むしろ、添付の特許請求の範囲に規定されている実施形態のうちの一部の範囲を逸脱せずに行い得る変形および変更がいくつか存在する。他の実施形態は、添付の特許請求の範囲に含まれ得る。用語「に基づき（ｂａｓｅｄ  ｏｎ）」は、「少なくとも・・・に基づき（ｂａｓｅｄ  ｏｎ  ａｔ  ｌｅａｓｔ）」を含む。句「などの（ｓｕｃｈ  ａｓ）」の使用は、別様に指示されていない限り、「例えば・・・などの（ｓｕｃｈ  ａｓ  ｆｏｒ  ｅｘａｍｐｌｅ）」を意味する。 
【図１】
2021530931.tif 000003
【図２Ａ】
2021530931.tif 000004
【図２Ｂ】
2021530931.tif 000005
【図２Ｃ】
2021530931.tif 000006
【図３】
2021530931.tif 000007
【図４】
2021530931.tif 000008
【図５】
2021530931.tif 000009
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
登録対象ネットワークをユーザ機器によって検出することと、
前記ユーザ機器はデフォルト構成で構成されているが、前記ネットワークについてのネットワーク固有構成を含まないとき、前記ネットワーク上で利用可能な少なくとも１つのサービスのために、前記ユーザ機器が前記デフォルト構成を使用するとの通知を前記ユーザ機器によって前記ネットワークに送出することと、
を含む方法。
【請求項２】
前記デフォルト構成は、前記ユーザ機器がローミング中にアクセスし得るあらゆる公衆陸上移動ネットワーク上で前記少なくとも１つのサービスにアクセスするための構成を含む、請求項１に記載の方法。
【請求項３】
前記ネットワーク固有構成は、前記少なくとも１つのサービスにアクセスするための構成であって、前記ユーザ機器にサービスを提供する前記ネットワークに固有の構成を含む、請求項１〜２の何れか一項に記載の方法。
【請求項４】
前記デフォルト構成は、前記ユーザ機器がローミング中にアクセスし得るあらゆる公衆陸上移動ネットワークに対して有効なネットワークスライス選択支援情報のデフォルトセットを含む、請求項１〜３の何れか一項に記載の方法。
【請求項５】
前記ネットワーク固有構成は、前記ユーザ機器にサービスを提供する前記ネットワークに固有のネットワークスライス選択支援情報を含む、請求項１〜４の何れか一項に記載の方法。
【請求項６】
前記少なくとも１つのサービスのために、前記デフォルト構成または前記ネットワーク固有構成により、前記ネットワークにアクセスすることを更に含む、請求項１〜５の何れか一項に記載の方法。
【請求項７】
前記通知は、登録メッセージ、認証メッセージ、および／または要求メッセージよって運ばれる明示的通知である、請求項１〜６の何れか一項に記載の方法。
【請求項８】
前記ユーザ機器がデフォルト構成を使用するとの前記通知への応答として、ネットワーク固有構成を前記ネットワークから受信することを更に含む、請求項１〜７の何れか一項に記載の方法。
【請求項９】
前記ユーザ機器は前記デフォルト構成で構成されており、しかも前記ネットワークについてのネットワーク固有構成を含むとき、前記ネットワーク上で利用可能な前記少なくとも１つのサービスのために、前記ユーザ機器が前記ネットワーク固有構成を使用するとの通知を前記ネットワークに送出することを更に含む、請求項１〜８の何れか一項に記載の方法。
【請求項１０】
前記ユーザ機器がネットワーク固有構成を使用するとの前記通知は暗黙的である、請求項９に記載の方法。
【請求項１１】
更新されたデフォルト構成情報を前記ネットワークから前記ユーザ機器によって受信することを更に含む、請求項１〜１０の何れか一項に記載の方法。
【請求項１２】
装置であって、
登録対象ネットワークを検出する手段と、
前記装置はデフォルト構成で構成されているが、前記ネットワークについてのネットワーク固有構成を含まないとき、前記ネットワーク上で利用可能な少なくとも１つのサービスのために、前記装置が前記デフォルト構成を使用するとの通知を前記ネットワークに送出する手段と、
を備える装置。
【請求項１３】
請求項２〜１１の何れか一項に記載の方法を実施する手段を更に備える、請求項１２に記載の装置。
【請求項１４】
処理手段及び記憶手段を備える装置であって、前記記憶手段はプログラム命令を格納し、前記プログラム命令は、前記処理手段に実行されると、前記装置に、請求項１から１１のいずれかに記載の方法を遂行させるように構成される、装置。
【請求項１５】
装置の処理手段に実行されると、前記装置に、請求項１から１１のいずれかに記載の方法を遂行させるように構成されるプログラム命令を備える、コンピュータプログラム。
【請求項１６】
ユーザ機器はデフォルト構成で構成されているが、ネットワークについてのネットワーク固有構成を含まないとき、前記ネットワーク上で利用可能な少なくとも１つのサービスのために、前記ユーザ機器が前記デフォルト構成を使用するとの通知をネットワークノードにおいて受信することと、
前記通知に基づき、前記ユーザ機器がネットワーク固有構成で更新されるべきであることを前記ネットワークノードにおいて検出することと、
前記検出した通知への応答として、前記ネットワークノードにおいて、前記ネットワーク固有構成を送出することと、
を含む方法。
【請求項１７】
前記デフォルト構成は、前記ユーザ機器がローミング中にアクセスし得るあらゆる公衆陸上移動ネットワーク上で前記少なくとも１つのサービスにアクセスするための構成を含む、請求項１６に記載の方法。
【請求項１８】
前記ネットワーク固有構成は、前記少なくとも１つのサービスにアクセスするための構成であって、前記ユーザ機器にサービスを提供する前記ネットワークに固有の構成を含む、請求項１６〜１７の何れか一項に記載の方法。
【請求項１９】
前記デフォルト構成は、前記ユーザ機器がローミング中にアクセスし得るあらゆる公衆陸上移動ネットワークに対して有効なネットワークスライス選択支援情報のデフォルトセットを含む、請求項１６〜１８の何れか一項に記載の方法。
【請求項２０】
前記ネットワーク固有構成は、前記ユーザ機器にサービスを提供する前記ネットワークに固有のネットワークスライス選択支援情報を含む、請求項１６〜１９の何れか一項に記載の方法。
【請求項２１】
前記通知は、前記ネットワークノードにおいて受信される登録メッセージ、認証メッセージ、および／または要求メッセージに含まれる明示的通知である、請求項１６〜２０の何れか一項に記載の方法。
【請求項２２】
前記ユーザ機器がデフォルト構成を使用するとの前記通知への応答として、ネットワーク固有構成を送出することを更に含む、請求項１６〜２１の何れか一項に記載の方法。
【請求項２３】
前記ユーザ機器は前記デフォルト構成で構成されており、しかも前記ネットワークについてのネットワーク固有構成を含むとき、前記ネットワーク上で利用可能な前記少なくとも１つのサービスのために、前記ユーザ機器が前記ネットワーク固有構成を使用するとの通知を受信することを更に含む、請求項１６〜２２の何れか一項に記載の方法。
【請求項２４】
前記ユーザ機器がネットワーク固有構成を使用するとの前記通知は暗黙的である、請求項２３に記載の方法。
【請求項２５】
前記ネットワークノードは、基地局および／またはアクセスおよびモビリティ管理機能を備える、請求項１６〜２４の何れか一項に記載の方法。
【請求項２６】
更新されたデフォルト構成情報を前記ネットワークノードによって前記ユーザ機器に送出することを更に含む、請求項１６〜２５の何れか一項に記載の方法。
【請求項２７】
ユーザ機器はデフォルト構成で構成されているが、ネットワークについてのネットワーク固有構成を含まないとき、前記ネットワーク上で利用可能な少なくとも１つのサービスのために、前記ユーザ機器が前記デフォルト構成を使用するとの通知を受信する手段と、
前記通知に基づき、前記ユーザ機器がネットワーク固有構成で更新されるべきであることを検出する手段と、
前記検出した通知への応答として、前記ネットワーク固有構成を送出する手段と、
を備える装置。
【請求項２８】
請求項１７〜２６の何れか一項に記載の方法を実施する手段を更に備える、請求項２７に記載の装置。
【請求項２９】
処理手段及び記憶手段を備える装置であって、前記記憶手段はプログラム命令を格納し、前記プログラム命令は、前記処理手段に実行されると、前記装置に、請求項１６から２６のいずれかに記載の方法を遂行させるように構成される、装置。
【請求項３０】
装置の処理手段に実行されると、前記装置に、請求項１６から２６のいずれかに記載の方法を遂行させるように構成されるプログラム命令を備える、コンピュータプログラム。
【国際調査報告】
2021530931.tif 000010
2021530931.tif 000011